(57)【要約】【課題】  １．５ｍ以内のコンパクト立方体に納った丸型水車タービン（６）は、水を原材料として新たな電気を作る。地球温暖化の基となっているＣＯ２は殆ど発しないので地球環境に適し経済的である。【解決手段】  新たな電気を作るために、水を原材料、１２Ｖバッテリー２個を動力源に使用して電圧変圧器▲４▼で１００Ｖ変換後、高圧水を作り丸型水車タービン（６）に直射する。水車は遠心力が働き高速回転し回転エネルギーが発生する。固定プーリーａにＶベルトｂを掛け回転エネルギーを取込みダイナモ▲５▼で自動発電する。新に作られた電気は１２Ｖバッテリー２個を充電し、余剰電力は１００Ｖ変圧調整器▲６▼でアンペア容量を確保する。役目を終えた高圧直射水（５）は浄化されたあと真水タンク（３）へ戻り循環する。【選択図】なし【特許請求の範囲】
【請求項１】
１２Ｖバッテリー▲２▼と▲３▼を直流に繋いで２４Ｖに変換し、電圧変圧器▲４▼で１００Ｖに変圧して高圧ポンプ（４）に送電する。
【請求項２】
丸型水車タービン（６）の円周に羽根を１２枚固定し、側面に穴を開けて遠心力を誘発する。羽根に高圧ポンプ（４）で作られた高圧直射水（５）を直射すると遠心力が作用して丸型水車タービン（６）が高速回転する。
【請求項３】
丸型水車タービン（６）の中心部にシャフトを取り付け、抵抗の少ないベアリングで両端を固定して回転を促し、シャフトに取り付けた固定プーリーａとダイナモ▲５▼プーリーの間にＶベルトｂを掛けて回転エネルギーを取込むことでダイナモ▲５▼が自動発電する。
【請求項４】
ダイナモ▲５▼で作られた電気は１２Ｖバッテリー▲２▼と▲３▼を充電し、余剰電力は変圧調整器▲６▼で１００Ｖに変換後２次的電力源として活用できる。
【請求項５】
密閉された水路の高圧直射水（５）は丸型水車タービン（６）に直射した後排水口（７）を抜けて浄水装置（８）で浄化され真水巡回パイプ（９）を通り真水補給口（１０）より真水タンク（３）に戻る。
【発明の詳細な説明】
【発明の詳細な説明】
【０００１】  本発明は、新たな電気を作るために、始動スイッチ▲１▼をＯＮに入れると１２Ｖバッテリー▲２▼と▲３▼を直流に繋いた２４Ｖの電流が流れ電圧変圧器▲４▼が１００Ｖ・２０Ａに変圧して高圧ポンプ（４）に送電する。高圧ポンプ（４）は蒸留水補給口（１）からろ過装置（２）を抜けて真水タンク（３）に溜まった水を吸い上げ高圧直射水（５）を作り出し丸型水車タービン（６）羽根に直射する。丸型水車タービン（６）は水の圧力で回転し遠心力も作用して高速回転する。丸型水車タービン（６）の中心部にシャフトを取り付け、抵抗の少ないベアリングで両端を固定して回転を促す。
シャフトに取り付けた固定プーリーａとダイナモ▲５▼プーリーの間にＶベルトｂを掛けて回転エネルギーを取込むことでダイナモ▲５▼が自動発電する。
ダイナモ▲５▼で作られた電気は１２Ｖバッテリー▲２▼と▲３▼を充電し、余剰電力は変圧調整器▲６▼で１００Ｖに変圧したあと、２次的電力源として他の用途に活用できる。
役目を終えた高圧直射水（５）は排水口（７）を抜けて浄水装置（８）で浄化され真水巡回パイプ（９）を通り真水補給口（１０）より真水タンク（３）に戻り循環する。
【０００２】  従来、電力は、水力発電、火力発電、原子力発電などがあり、最近では地熱発電、太陽熱発電、風力発電などが研究されている。これらは装置が大きく簡易型にするのは不可能であった。
【０００３】  本発明は、１．５ｍの立方体の中に納まり、１２Ｖバッテリー▲２▼と▲３▼、高圧ポンプ（４）、丸型水車タービン（６）、ダイナモ▲５▼等を個別に運べて且つコンセントで接続できるのでアウトドアにも利用できる。
【０００４】  実施例では、丸型水車タービン（６）、シャフト、固定プーリーａの材質を鉄で試作したため、重量が嵩んだ、これらを軽金属や強化プラスチックその他の材質に変更すると自動車の動力源としても利用できる。
【０００５】  本発明は、水を原材料としろ過装置を備えているため雨水、川の水等も緊急時には使用可能である。地球温暖化の基となっているＣＯ２をも発しないので地球環境にも優しい簡易型水力発電である。
【図面】
フローチャート
【符号の説明】始動スイッチ            ▲１▼
１２Ｖバッテリー        ▲２▼
１２Ｖバッテリー        ▲３▼
電圧変圧器              ▲４▼
ダイナモ                ▲５▼
変圧調整器              ▲６▼
固定プーリー              ａ
Ｖベルト                  ｂ
蒸留水補給口            （１）
ろ過装置                （２）
真水タンク              （３）
高圧ポンプ              （４）
高圧直射水              （５）
丸型水車タービン        （６）
排水口                  （７）
浄水装置                （８）
真水巡回パイプ          （９）
真水補給口              （１０）
2010203429.tif 000002
【手続補正書】
【提出日】平成21年5月8日(2009.5.8)
【手続補正１】
【補正対象書類名】明細書
【補正対象項目名】全文
【補正方法】変更
【補正の内容】
【発明の詳細な説明】
【発明の詳細な説明】
【０００１】  本発明は、新たな電気を作るために、始動スイッチ１をＯＮに入れると１２Ｖバッテリー２と３を直流に繋いだ２４Ｖの電流が流れ電圧変圧器４が１００Ｖ・２０Ａに変圧して高圧ポンプ１２に送電する。高圧ポンプ１２は蒸留水補給口９からろ過装置１０を抜けて真水タンク１１に溜まった水を吸い上げ高圧直射水１３を作り出し丸型水車タービン１４羽根に直射する。丸型水車タービン１４は水の圧力で回転し遠心力も作用して高速回転する。丸型水車タービン１４の中心部にシャフトを取り付け、抵抗の少ないベアリングで両端を固定して回転を促す。
シャフトに取り付けた固定プーリー７とダイナモ５プーリーの間にＶベルト８を掛けて回転エネルギーを取込むことでダイナモ５が自動発電する。
ダイナモ５で作られた電気は１２Ｖバッテリー２と３を充電し、余剰電力は変圧調整器６で１００Ｖに変圧したあと、２次的電力源として他の用途に活用できる。
役目を終えた高圧直射水１３は排水口１５を抜けて浄水装置１６で浄化され真水巡回パイプ１７を通り真水補給口１８より真水タンク１１に戻り循環する。
【０００２】  従来、電力は、水力発電、火力発電、原子力発電などがあり、最近では地熱発電、太陽熱発電、風力発電などが研究されている。これらは装置が大きく簡易型にするのは不可能であった。
【０００３】  本発明は、１．５ｍの立方体の中に納まり、１２Ｖバッテリー２と３、高圧ポンプ１２、丸型水車タービン１４、ダイナモ５等を個別に運べて且つコンセントで接続できるのでアウトドアにも利用できる。
【０００４】  実施例では、丸型水車タービン１４、シャフト、固定プーリー７の材質を鉄で試作したため、重量が嵩んだ、これらを軽金属や強化プラスチックその他の材質に変更すると自動車の動力源としても利用できる。
【０００５】  本発明は、水を原材料としろ過装置を備えているため雨水、川の水等も緊急時には使用可能である。地球温暖化の基となっているＣＯ２をも発しないので地球環境にも優しい簡易型水力発電である。
【図面の簡単な説明】
【０００６】
【図１】  この図面は、水力発電の循環系統を示した図面である。
【符号の説明】
【０００７】  １．始動スイッチ
２．１２Ｖバッテリー
３．１２Ｖバッテリー
４．電圧変圧器
５．ダイナモ
６．変圧調整器
７．固定プーリー
８．Ｖベルト
９．蒸留水補給口
１０．ろ過装置
１１．真水タンク
１２．高圧ポンプ
１３．高圧直射水
１４．丸型水車タービン
１５．排水口
１６．浄水装置
１７．真水巡回パイプ
１８．真水補給口
【手続補正２】
【補正対象書類名】図面
【補正対象項目名】全図
【補正方法】変更
【補正の内容】
【図１】
2010203429.tif 000003